(57)【要約】【課題】従来の固定装置は、ねじを用いて装置本体にカバー部材を固定する構成であるため、カバー部材を固定したり、取り外したりする際には、まず、ねじを締め付けたり、緩めたりする必要があり、手間がかかり作業性が悪いという問題があった。【解決手段】照明装置本体などの固定体に、該固定体を覆うカバー部材などの被固定体を固定する固定片１１０Ａを備える固定装置において、上記固定片１１０Ａは、スライドすることにより上記被固定体を上記固定体に固定するスライド機構を備えているため、ねじを用いることなく簡単かつ確実に固定することができる共に、作業効率を向上させた固定装置を提供できる。【選択図】図１
2011008964.tif 000002
【特許請求の範囲】
【請求項１】
照明装置本体などの固定体に、該固定体を覆うカバー部材などの被固定体を固定する固定片を備える固定装置において、
上記固定片は、スライドすることにより上記被固定体を上記固定体に固定するスライド機構を備えてなることを特徴とする固定装置。
【請求項２】
上記固定片は、上記被固定体に対して所定位置にて係止する係止片を備えてなることを特徴とする請求項１に記載の固定装置。
【請求項３】
上記固定体は、係止片が係止した状態にて上記被固定体を押し返すロック部を備えてなることを特徴とする請求項１または２に記載の固定装置。
【請求項４】
上記固定片は、上記被固定体との間にスライド方向を規定するスライド構造を備えてなることを特徴とする請求項１から３のいずれか一つに記載の固定装置。
【請求項５】
上記被固定体は、上記固定体との間に位置決めを行うための係合構造を備えてなることを特徴とする請求項１から４のいずれか一つに記載の固定装置。
【請求項６】
上記被固定体と上記固定体との間には、仮止めを行うための取り付け構造を備えてなることを特徴とする請求項１から５のいずれか一つに記載の固定装置。
【請求項７】
請求項１から６のいずれか一つに記載の固定装置を備えてなることを特徴とする照明装置。
【請求項８】
照明装置本体などの固定体に、該固定体を覆うカバー部材などの被固定体を固定するため、固定片をスライドすることにより上記被固定体を固定体に固定することを特徴とする固定方法。
【請求項９】
上記固定体に上記被固定体を仮止めした後に、上記被固定体を上記固定体に固定することを特徴とする請求項８に記載の固定方法。
【発明の詳細な説明】
【技術分野】
【０００１】
本発明は、ねじを用いることなく固定を容易にかつ確実に行うことができる固定装置、固定装置を用いた照明装置及び固定方法に関するものである。
【背景技術】
【０００２】
従来の固定装置は、例えば照明装置に用いた場合には、固定体としての照明装置本体に被固定体としてのカバー部材をねじにて固定する固定装置が提案されている（特許文献１参照）。
以下、図１４を用いて、上記特許文献１に記載の従来の照明装置５００が有する固定装置について説明すると、照明装置本体５００Ａにカバー部材であるリニアフレネルレンズ５０１を取り付け、所定位置にて固定する固定装置としてねじ５０３を用いている。すなわち、長方形状の照明装置５００の短辺側の両縁に設けた穴５０２よりねじ５０３を挿入し、リニアフレネルレンズ５０１を固定する構成である。
【先行技術文献】
【特許文献】
【０００３】
【特許文献１】特開２００８−２１８１８６号公報
【発明の概要】
【発明が解決しようとする課題】
【０００４】
上記従来の固定装置は、固定体としての上記照明装置本体５００Ａの表面側からねじ５０３を挿入し、ねじ５０３により、照明装置本体５００Ａの所定位置に被固定体としてのリニアフレネルレンズ５０１を固定する構成であるため、リニアフレネルレンズ５０１を固定したり、取り外したりする際には、ねじ５０３を締め付けたり、緩めたりする必要がある。すなわち、ドライバーなどを用いてねじ５０３を回動させなければならず、手間がかかり、また作業性が悪いという問題がある。
【０００５】
本発明は、上記のような従来の構成が有していた問題を解決しようとするものであり、ねじ５０３を用いることなくカバー部材を容易にかつ確実に固定することができる共に、作業効率を向上させた固定装置を提供することを目的とする。
【課題を解決するための手段】
【０００６】
本発明の固定装置は、照明装置本体などの固定体に、該固定体を覆うカバー部材などの被固定体を固定する固定片を備える固定装置において、上記固定片は、スライドすることにより上記被固定体を上記固定体に固定するスライド機構を備えてなることを特徴とする。
【０００７】
上記本発明によれば、ねじを使用することなく、簡単にかつ確実に被固定体を固定体に取り付けることができるため、作業効率を向上させた固定装置を提供することができる。
【０００８】
また、本発明の固定装置は、上記固定片は、上記被固定体に対して所定位置にて係止する係止片を備えており、また、上記固定体は、係止片が係止した状態にて上記被固定体を押し返すロック部を備えてなることを特徴とする。
【０００９】
上記本発明によれば、容易に固定体から被固定体が外れないため、より安全な固定装置を提供することができる。
【００１０】
そして、本発明の固定装置は、上記固定片は、上記被固定体との間にスライド方向を規定するスライド構造を備えてなることを特徴とする。
【００１１】
上記本発明によれば、固定片をスライドするスライド方向が規定されるため、容易にスライドでき、さらに作業効率を向上させた固定装置となる。
【００１２】
そしてまた、本発明の固定装置は、上記被固定体は、上記固定体との間に位置決めを行うための係合構造を備えてなることを特徴とする。
【００１３】
上記本発明によれば、固定体に対して被固定体の位置決めができるため、固定片のみをスライドでき、取り付け時の作業効率がさらに良くなる。
【００１４】
さらに、本発明の固定装置は、上記被固定体と上記固定体との間には、仮止めを行うための取り付け構造を備えてなることを特徴とする。
【００１５】
上記本発明によれば、被固定体が大きな部材であったとしても取り付け時に仮止めができることで、固定片による固定の不具合を解消し、かつ作業効率を向上させる。
【００１６】
なお、本発明の固定方法は、照明装置本体などの固定体に、該固定体を覆うカバー部材などの被固定体を固定するため仮止めした後に、固定片をスライドすることにより上記被固定体を固定体に固定することを特徴とする。
【００１７】
上記本発明によれば、固定片をスライドすることで、被固定体を固定体に固定することができるため、容易にかつ確実に固定することができるため、作業効率の向上した固定方法となる。
【発明の効果】
【００１８】
本発明によれば、上記のような構成であるため、ねじを用いることなく固定を容易にかつ確実に固定することができると共に、作業効率を向上させた固定装置を提供できる。
【図面の簡単な説明】
【００１９】
【図１】本発明の実施の形態１を示す照明装置のセンターカバーを外した状態の要部分解斜視図である。
【図２】本発明の実施の形態１を示す照明装置の分解斜視図である。
【図３】本発明の実施の形態１を示す照明装置の下側から見た平面図である。
【図４】本発明の実施の形態１を示す照明装置のセンターカバーを外した状態で下側から見た平面図である。
【図５】図３のＶ−Ｖ線断面図である。
【図６】本発明の実施の形態１を示す照明装置のセンターカバーを外した状態での下側から見た要部分解斜視図である。
【図７】本発明の実施の形態１を示す照明装置のセンターカバーを外した状態での上側から見た要部分解斜視図である。
【図８】本発明の実施の形態１を示すセンターカバーに取り付ける固定装置を示す要部拡大平面図である。
【図９】本発明の実施の形態１を示すセンターカバーの固定装置を示す要部拡大裏面図である。
【図１０】本発明の実施の形態１を示す照明装置のセンターカバーを外した状態の要部分解側面図である。
【図１１】本発明の実施の形態１を示すセンターカバーの凸部及び凹部を示す要部拡大分解斜視図である。
【図１２】本発明の実施の形態２を示す照明装置のセンターカバーを外した状態での下側から見た要部分解斜視図である。
【図１３】本発明の実施の形態２を示す照明装置のセンターカバーを外した状態での上側から見た要部分解斜視図である。
【図１４】従来の固定装置を備えた照明装置の構成を示す全体斜視図である。
【発明を実施するための形態】
【００２０】
（実施の形態１）
以下、本発明の固定装置を備えた照明装置に係る実施の形態１を、図１から図１１に基づいて説明する。
【００２１】
照明装置１００は、固定体としての照明装置本体（以下、本体フレームと称す）１０、複数のＬＥＤ２１を基板に実装した光源部としてのＬＥＤモジュール２０、ＬＥＤモジュール２０に所要の電力（電圧あるいは電流でもよい）を供給する駆動部としての電源ユニット３０、商用電源からの電源線を接続する接続端子４０、ＬＥＤモジュール２０からの光を透過する透光板としての透光パネル６０、本体フレーム１０の長手方向に沿って設けられ本体フレーム１０と透光パネル６０とを挟持する側板７０、電源ユニット３０、接続端子４０などを覆う被固定体としてのセンターカバー８０Ａ、サイドカバー９０などよりなるカバー部材を備えている。
【００２２】
そして、特に図２に示すように、長方形状の本体フレーム１０の長手方向に沿って２つの仕切板１４、１４を本体フレーム１０上に対設してある。仕切板１４で挟まれる区画は、電源ユニット３０、接続端子４０などがＬＥＤモジュール２０と並置される場所である。また、仕切板１４と本体フレーム１０の長辺側の縁部との間の区画は、それぞれＬＥＤモジュール２０を装着する場所である。すなわち、電源ユニット３０や接続端子４０などを間にして、ＬＥＤモジュール２０が２箇所に分かれて本体フレーム１０に並置されている。
【００２３】
また、特に図１に示すように、センターカバー８０Ａは、その短辺側の一方の縁部８８Ａに本体フレーム１０の長辺方向にスライドさせることにより本体フレーム１０に固定可能な固定装置を備える。そのため、照明装置１００を天井等に取り付ける際には、センターカバー８０Ａを外しておき、照明装置１００を天井等に取り付けた後、センターカバー８０Ａを照明装置１００に固定することできる。
【００２４】
また、特に図１、図２に示すように、センターカバー８０Ａは、その長辺側の縁辺がＬ字状に折り曲げた曲部８１を設けてある。曲部８１の縁辺に適長離隔して凹部８２を設けておき、仕切板１４の対応する位置に突起部などの凹部８２を係止し、仮止めを行うための取り付け構造が設けてある。これにより、センターカバー８０Ａが本体フレーム１０の方に窪むことを防止できる。なお、曲部８１の縁辺に凹部８２に代えて凸部を設けておき、仕切板１４の対応する位置に凹部や孔を設けて係止させるようにしてもよい。いずれの構造であっても、センターカバー８０Ａが撓むことを防止することができるものであればよい。
【００２５】
また、特に図３に示すように、センターカバー８０Ａを間にして２つの透光パネル６０が配置されている。透光パネル６０は、図１、図２に示すように、本体フレーム１０の縁部に向かう方向に沿って、本体フレーム１０と透光パネル６０との離隔寸法（透光パネル６０の高さ寸法）が減少するように傾斜させてある。なお、本体フレーム１０と透光パネル６０との離隔寸法（透光パネル６０の高さ寸法）は、本体フレーム１０の中央部や中央部付近など縁部を除く箇所で縁部での寸法よりも大きくすればよい。これにより、ＬＥＤモジュール２０からの光をより広範囲（例えば、本体フレーム１０の長手方向に直交する向き）に照らすことができ、天井面への配光を多く（配光特性を広く）することができる。
【００２６】
すなわち、透光パネル６０は、本体フレーム１０の縁部に向かって離隔寸法が小さくなるように傾斜してある。これにより、例えば、照明装置１００を天井面に設置した場合、透光パネル６０（ＬＥＤモジュール２０）からの光は、天井面にほぼ垂直に照射されるのみならず、照明装置１００の周辺側にも照射される。このため、照明装置１００の周辺の天井面も光を照射することができ、配光特性を従来よりも広くすることができる。
【００２７】
また、電源ユニット３０は、本体フレーム１０のほぼ中央部に配置してあり、ＬＥＤモジュール２０及び透光パネル６０は、電源ユニット３０を間にして２つ設けてある。これにより、照明装置１００を天井面に設置した場合、照明装置１００を挟んで両側の天井面への配光を多くすることができ、配光特性をさらに拡げることができる。
【００２８】
なお、上述の例では、ＬＥＤモジュール２０及び透光パネル６０は、電源ユニット３０を間にして２つ設ける構成であるが、これに限定されるものではなく、例えば、ＬＥＤモジュール２０及び透光パネル６０を、電源ユニット３０の周囲の全部に配置してもよい。いずれの場合でも、電源ユニット３０を本体フレーム１０の中央部に配置することにより、本体フレーム１０の縁部付近では傾斜させた透光パネル６０を天井面に近づける（高さ寸法を小さくする）ことができ、配光特性をさらに拡げることができる。
【００２９】
また、特に図４に示すように、本体フレーム１０には、本体フレーム１０を天井等の設置場所に取り付けるための取付孔１１、１１を形成してある。なお、取付孔１１は、一例であって、これに限定されるものではなく、本体フレーム１０を設置場所に取り付けことができる構造であれば、フックや切り欠きなどの部材を用いることもできる。これにより、本体フレーム１０を天井等の設置場所に設置することができる。
【００３０】
また、本体フレーム１０には、複数のビス孔１３を設けることもできる。これにより、天井等に直付けすることもできる。また、本体フレーム１０には、適宜の箇所に電源線などを配線するための配線孔１２、１２を形成してある。
【００３１】
そして、特に図４に示すように、本体フレーム１０に平行して設けられた仕切板１４、１４の間には、適長（例えば、人が両手を広げて余裕をもって届く範囲である８０ｃｍ程度）離隔して取っ手５０を設けてある。また、取っ手５０の固定位置は、例えば比較的重量のある電源ユニット３０と本体フレーム１０とのバランス（重心）を考慮して、電源ユニット３０を間にして決定することができる。それにより、作業者は取っ手５０を持って本体フレーム１０を天井面などの設置場所に取り付けるだけで照明装置１００を設置することができる。すなわち、照明装置１００の筐体を取り付けた後にＬＥＤモジュール等の取り付けを行うなどの複数回の取り付け作業が不要であり、１回の取り付け作業で照明装置１００の取り付けが完了するので、作業工程を簡素化することができる。また、取っ手５０を備えているので、作業性が向上する。
【００３２】
また、取っ手５０は、仕切板１４を連結するように設けられている。本体フレーム１０は、板状の構造であるので、離隔した仕切板１４同士を取っ手５０で連結することにより、本体フレーム１０の曲がりなどを抑制することができ、照明装置１００の剛性を高めることができる。
【００３３】
そしてまた、センターカバー８０及び透光パネル６０は、それぞれ平面視が矩形状をなし、仕切板１４をセンターカバー８０と透光パネル６０との境に沿って設けてあり、適長離隔して２つの取っ手５０を設けてある。これにより、照明装置１００の寸法が大きい場合でも、照明装置１００の剛性をさらに高めるとともに、両手で２つの取っ手５０を持って本体フレーム１０を天井等に取り付けることができるので、作業性がさらに良くなる。
【００３４】
図５は図３のＶ−Ｖ線断面図である。図５に示すように、本体フレーム１０上に電源ユニット３０を間にしてＬＥＤモジュール２０が設けられている。このため、光源部と電源部とを２段構造とする場合に比べて、照明装置１００の高さ寸法（厚み）を小さくすることができ、薄型の照明装置を実現することができる。
【００３５】
また、ＬＥＤモジュール２０の基板には、電源ユニット３０からの配線を接続するためのコネクタ２３を実装している。また、ＬＥＤモジュール２０からの光を効率良く照射するため、断面視が略コの字状に折り曲げた反射シート２２を設けている。反射シート２２の両縁は、透光パネル６０の両縁に位置するように配置してある。これにより、ＬＥＤモジュール２０からの光が照明装置１００内部に漏れることを防止して、光の取り出し効率を向上させることができる。
【００３６】
また、ＬＥＤモジュール２０からの光を透過する透光パネル６０に隣接して着脱可能なセンターカバー８０Ａを配置してあるので、ＬＥＤモジュール２０からの光を遮ることがない。また、照明装置１００を天井等に取り付ける際には、センターカバー８０Ａを外しておき、本体フレーム１０を天井などの設置場所に取り付けた後、センターカバー８０Ａを固定することができるので、作業効率が向上する。
【００３７】
次に、固定体である本体フレーム１０に被固定体であるセンターカバー８０Ａを固定するスライド機構を備えた固定装置について、より詳細に説明する。
【００３８】
図６、図７は、本発明の実施の形態１を示す照明装置１００のセンターカバー８０Ａを外し、センターカバー８０Ａの一方の縁部８８Ａに設けた固定装置を拡大した要部分解斜視図であり、図６は下側から、図７は上側から見たものである。図８は、センターカバー８０Ａを本体フレーム１０に固定する固定装置を示す要部拡大平面図であり、図９は、その固定片１１０Ａの要部拡大裏面図である。図１０は、センターカバー８０Ａ外した状態の要部分解側面図であり、図１１は、そのセンターカバー８０Ａと仕切板１４とに設けた仮止め用の取り付け構造に関する要部拡大斜視図である。
【００３９】
センターカバー８０Ａは、仕切板１４で挟まれる区画、すなわち電源ユニット３０、接続端子４０など収納（収容）している場所を覆うカバー部材であり、本体フレーム１０の形状に応じてさまざまな形状が考えられる。本発明の実施の形態１では、特に図１、図６に示すように、長方形状で、その短辺側の一方の縁部８８Ａに、センターカバー８０Ａを本体フレーム１０に固定するためのスライド機構を備えた固定装置が設けてある。
【００４０】
また、センターカバー８０Ａの他方の縁部８８Ｂと対応する本体フレーム１０及びサイドカバー９０との間には、固定装置を備えておらず、他方の縁部８８Ｂと対応する本体フレーム１０側に、他方の縁部８８Ｂを嵌挿するための空間または溝などが設けてある。すなわち、他方の縁部８８Ｂを本体フレーム１０に取り付け、保持することができればよく、例えば、他方の縁部８８Ｂの形状に合わせた溝を対応する本体フレーム１０側に設けていてもよい。
【００４１】
そして、特に図１１に示すように、センターカバー８０Ａは、その長辺側の縁辺がＬ字状に折り曲げた曲部８１が設けてあり、曲部８１の縁辺に適長離隔してスライド機構である凹部８２を設けておき、仕切板１４の対応する位置に突起部などの凹部８２を係止する構造を設けてある。すなわち、センターカバー８０Ａと仕切板１４との間には、仮止めを行うための取り付け構造が設けてある。それにより、センターカバー８０Ａを本体フレーム１０に取り付けた後は、センターカバー８０Ａを両手で支える必要がなくなり、作業効率が向上する。さらに、センターカバー８０Ａが本体フレーム１０の方に窪むことを防止できる。なお、照明装置１００を天井などに取り付けた場合には、センターカバー８０Ａの重みや重力によって、センターカバー８０Ａが撓むことを防止できる。
【００４２】
なお、曲部８１の縁辺に凹部８２に代えて凸部を設けておき、仕切板１４の対応する位置に凹部や孔を設けて係止させるようにしてもよい。いずれの構造であっても、センターカバー８０Ａが撓むことを防止することができるものであればよい。
【００４３】
さらに、凹部８２は、仕切板１４の対応する位置に設けた凸部８３よりも、曲部８１の縁辺に沿ってより長方形状に形成することにより、センターカバー８０Ａを照明装置１００に取り付けた後であっても、本体フレーム１０に対してセンターカバー８０Ａの取り付け位置をずらすことができる。これにより、センターカバー８０Ａを取り付けた状態のまま、センターカバー８０Ａの取り付け位置の修正を行うことができるため、さらに作業効率が向上する。
【００４４】
また、特に図６、図８に示すように、センターカバー８０Ａには、本体フレーム１０と位置決めを行うための係合構造が設けてある。すなわち、センターカバー８０Ａには、本体フレーム１０に設けた位置決め突起１５と係合する位置決め用穴部８６が設けてあるため、センターカバー８０Ａを本体フレーム１０に取り付けると、位置決め突起１５と位置決め用穴部８６とが係合する位置にてセンターカバー８０Ａを取り付けることができる。また、位置決め突起１５と位置決め用穴部８６との係合する位置がずれた場合には、仮止め用の凹部８２が縁辺に沿ってより長方形状に形成しているため、センターカバー８０Ａの取り付け位置を修正することができる。そのため、本体フレーム１０に対して正確な位置にセンターカバー８０Ａを取り付けることができ、取り付けの際に不具合が生じることがない。
【００４５】
そして、図６に示すように、センターカバー８０Ａの短辺側の一方の縁部８８Ａには、固定片１１０Ａが設けてある。固定片１１０Ａは、センターカバー８０Ａの長辺方向にスライドすることにより本体フレーム１０とセンターカバー８０Ａとを固定するものであり、センターカバー１１０Ａの表面側に設けてある。固定片１１０Ａは、図７に示すように、長辺側の縁部に２つの係止片１１１（突起部）を設けており、固定片１１０Ａと重合するセンターカバー８０Ａには、係止片１１１が係合する２つの穴部８４が設けてある。これにより、固定片１１０Ａをスライドすると、所定位置にて係止片１１１と穴部８４とが係合し、センターカバー８０Ａと本体フレーム１０とが固定される。また、所定位置とは、固定片１１０Ａをスライドすることにより複数の部材を一体的に固定することが可能な位置を指す。
【００４６】
さらに、本体フレーム１０側には、固定片１１０Ａの縁辺が挿入される溝部１７が設けてある。これにより、固定片１１０Ａをスライドすると、その縁辺１１４Ａ、１１４Ｂ、１１４Ｃが溝部１７に挿入され、本体フレーム１０にセンターカバー８０Ａを固定することができる。そして、固定片１００Ａをスライドするという容易な操作（ワンタッチ操作）にて、センターカバー８０Ａを本体フレーム１０に固定することができるため、ねじを用いた固定装置よりも作業効率が向上する。
【００４７】
また、特に図８、図９に示すように、固定片１１０Ａとセンターカバー８０Ａとの間には、スライド方向を規定するスライド構造が設けてある。センターカバー８０Ａには、スライド方向に長辺を有するスライド用穴部８５が設けてあり、固定片１１０Ａには、スライド用穴部８５に挿入するスライド突起１１２が設けてある。これにより、本体フレーム１０の所定位置に位置決めされたセンターカバー８０Ａの取り付けとは関係なく、固定片１１０Ａのスライド方向が規定できる。それにより、係止片１１１と穴部８４が係合する所定位置まで固定片１１０Ａを容易にスライドすることができる。そして、所定位置にて係止片１１１と穴部８４が係合すると、固定片１１０Ａの縁辺１１４Ａ、１１４Ｂ、１１４Ｃが、本体フレーム１０側に設けた溝１７に挿入される。このように、センターカバー８０Ａを本体フレーム１０に固定することができる。
【００４８】
そして、特に図７に示すように、固定片１１０Ａは、スライド突起１１２と適長離隔してセンターカバー８０Ａと一体的に固定するための固定用突起１１３が設けてあり、対応するセンターカバー８０Ａには、スライド方向を規定するスライド用穴部８５と略同様の固定用穴部８７が設けてある。そして、固定用突起１１３の先端部には、固定用穴部８７と係止する構造が設けてある。例えば、固定用穴部８７の短辺よりも大きな径の頭部を有するねじなどを固定用突起１１３の先端部に取り付けることで、固定用突起１１３にセンターカバー８０Ａを取り付けることができる。それにより、センターカバー８０Ａを着脱する際に、固定片１１０Ａを落下させることなく作業を行うことができ、作業効率が向上する。また、固定用穴部８７はスライド方向を規定するスライド用穴部としても機能するため、センターカバー８０Ａに対して固定片１１０Ａを平行にスライドすることができ、容易に固定片１１０Ａをスライドすることができる。
【００４９】
また、特に図６に示すように、固定片１１０Ａと対応する本体フレーム１０側には、係止片１１１が係止した状態を保つためのロック部１６が設けてある。ロック部１６は、固定片１１０Ａにてセンターカバー８０Ａを固定すると、センターカバー８０Ａを押し返す働きをするものであり、これにより係止片１１１と穴部８４との係止状態を維持することができる。そのため、より安全な固定装置を備えた照明装置１００となる。
【００５０】
なお、本発明の実施の形態１では、ロック部１６として、コイルばねを用いているが、センターカバー８０Ａを押し返す働きをするものであればよく、板ばねやゴムなどの弾性体などを用いてもよい。
【００５１】
また、センターカバー８０Ｂは、その短辺側の縁辺に凹み８９を設けている。そのため、本体フレーム１０からセンターカバー８０Ｂを取り外したい場合には、凹み８９に指などを指し込むことができ、容易に取り外すことができる。
【００５２】
以上説明したように、本発明によれば、固定体である本体フレーム１０に被固定体であるセンターカバー８０Ａを固定する際に、ねじを用いることなく容易な操作（ワンタッチ操作）で固定することができる。また、本発明の固定装置は、照明装置１００の電源ユニット３０、接続端子４０などを覆うセンターカバー８０Ａの固定装置として用いたが、その他にも、ＬＥＤモジュール２０からの光を透過する透光板、拡散板や反射板などを本体フレーム１０に固定する場合にも利用することができる。さらに、定期的にメンテナンス（整備、点検、清掃など）を要する装置のカバー部材に利用した場合には、カバー部材を装置本体に固定するのみならず、取り外す際の作業効率も向上する。例えば、冷暖房などに用いられるカバー部材を固定するための固定装置としても利用することができ、本発明に係る固定装置はさまざまな用途で使用することができる。さらに、装置表面側に固定するカバー部材の固定装置として用いると、従来の固定装置のように、ねじの頭部が露出しないため、デザイン性の良い固定装置となる。
【００５３】
次に、センターカバー８０Ａを本体フレーム１０に固定するスライド機構及び固定方法について、より詳細に説明する。
【００５４】
まず、センターカバー８０Ａの他方の縁部８８Ｂを本体フレーム１０側に設けた空間に嵌挿する。そして、スライド機構であるセンターカバー８０Ａの曲部８１に設けた凹部８２と仕切板１４の対応する位置に設けた凸部８３とを係止させる。それにより、センターカバー８０Ａは、本体フレーム１０の所定の場所に取り付けることができ、さらに仮止めをすることができる。それにより、センターカバー８０Ａは、本体フレーム１０側の上記空間と凸部８３とによって支持されるため、センターカバー８０Ａから両手を離すことができ、作業効率が向上する。
【００５５】
次に、センターカバー８０Ａに設けて位置決め用穴部８６を本体フレーム１０の位置決め突起１５と係合すべく、センターカバー８０Ａの位置決めを行う。その際、凹部８２は、曲部８１に設けた凸部８３よりも、曲部８１の縁辺に沿ってより長方形状に形成しているため、位置決め用穴部８６と位置決め突起１５とが係合する所定の位置までセンターカバー８０Ａの取り付け位置を修正することができる。それにより、取り付け直す必要がなく、さらに作業効率が向上する。
【００５６】
次に、センターカバー８０Ａの一方の縁部８８Ａに設けたスライド機構である固定片１１０Ａを、センターカバー８０Ａの長手方向に向かってスライドさせる。すると、固定片１１０Ａと対応するセンターカバー８０Ａには、スライド方向を規定するスライド突起１１２及びスライド用穴部８５を設けているため、固定片１１０Ａの縁辺１１４Ａ、１１４Ｂ、１１４Ｃを本体フレーム１０側に設けた溝１７に挿入するようスライドさせることができる。
【００５７】
そして、固定片１１０Ａの係止片１１１と穴部８４とが係止する所定位置までスライドすると、係止片１１１と穴部８４とが係止し、係止状態を解除しない限りは、それ以上固定片１１０Ａをスライドすることができない。そのため、センターカバー８０Ａを本体フレーム１０にワンタッチ操作にて固定することができ、作業効率が向上する。
【００５８】
さらに、固定装置にはロック部１６を設けているため、係止片１１１と穴部８４との係止状態を維持することができ、より安全でかつ確実に固定することができる。なお、ロック状態を解除するには、センターカバー８０Ａの一方の縁部８８Ａを本体フレーム１０側に押し上げることで、係止片１１１が穴部８４から外れ、固定片１１０Ａをスライドさせることができる。
【００５９】
（実施の形態２）
次に、本発明の固定装置を備えた照明装置に係る実施の形態２を、図１２、図１３に基づいて説明する。
【００６０】
図１２、図１３は、本発明の実施の形態２を示す照明装置１００のセンターカバー８０Ａを外し、センターカバー８０Ａの一方の縁部８８Ａに設けた固定装置を拡大した要部分解斜視図であり、図１２は下側から、図１３は上側から見たものである。
【００６１】
実施の形態２の固定装置は、実施の形態１の固定装置と異なり、センターカバー８０Ａとは係合していない別部品として用いられている構成であり、その他の構成については実施の形態１と同一部分は同一の符号を付して、その詳細な説明を省略する。
【００６２】
上述の通り、実施の形態１では、センターカバー８０Ａの一方の縁部８８Ａに固定片１１０Ａを取り付けた構成であったが、実施の形態２においては、別の部品として用いている。そのため、センターカバー８０Ｂに固定片１１０Ｂを取り付ける必要がなく、固定のための部品点数の削減になり、かつ生産性の向上した固定装置となる。
【００６３】
また、固定片１１０Ｂは、実施の形態１における固定用突起１１３の代わりに、スライド突起１１２を２つ設けている。そして、対応するセンターカバー８０Ｂにも、固定用穴部８７の代わりにスライド用穴部８５を２つ設けている。それにより、固定片１１０Ｂは、スライド方向に向かって容易にスライドすることができ、作業効率を向上させた固定装置となる。
【００６４】
上述の実施の形態１、２では、スライド機構として固定片１１０Ａ、１１０Ｂをスライドさせることにより、センターカバー８０Ａ、８０Ｂを本体フレーム１０に固定する機構と、センターカバー８０Ａ、８０Ｂと仕切板１４とに設けた凹部８２及び凸部８３をスライドさせて位置合わせを行う機構とを説明したが、どちらか一方のみのスライド機構を備えていてもよい。
【００６５】
また、固定片１１０Ａ、１１０Ｂに２つの係止片１１１を設けたが、その設ける位置、大きさ、数などは被固定体であるセンターカバー８０Ａ、８０Ｂの大きさや重量に応じて適宜変更して設けてもよい。また、係止片１１１の形状についても、適宜変更してもよい。
【００６６】
そして、係止片１１１に限らず、スライド突起１１２とスライド用穴部８５や、位置決め突起１５と位置決め用穴部８６や、凹部８２と凸部８３の位置、大きさ、数などは、固定片１１０Ａ、１１０Ｂやセンターカバー８０Ａ、８０Ｂなどの形状に応じて適宜変更して設けてもよい。それにより、生産性の良い固定装置となる。
【００６７】
なお、固定片１１０Ａをスライドするスライド方向は、カバー部材の形状や大きさによって適宜変更することができ、センターカバー８０Ａの長辺方向に限らず、短辺方向であってもよい。
【００６８】
さらに、センターカバー８０Ａ、８０Ｂの一方の縁部８８Ａに固定片１１０Ａ、１１０Ｂを備える構造について説明したが、他方の縁部８８Ｂにも同様の固定装置を用いる構成としても構わない。そして、固定装置と設ける位置や数に関しては、カバー部材の大きさや重量に応じて適宜変更することで、固定を容易にかつ確実に行うことができる固定装置を提供することができる。
【００６９】
また、照明装置１００は、長方形状のいわゆるストレート型の照明装置であったが、照明装置の形状は、ストレート型に限定されるものではなく、いわゆるスクウェア型や円形状のもであってもよい。例えば、円形状の照明装置の場合には、本体フレームは円形状をなし、中央部に電源ユニットを配置し、その周りに同心円状にＬＥＤモジュールを配置すればよい。また、透光パネル６０の形状も長方形状に限定されるものではなく、本体フレームの形状に合わせて、正方形状、円形状、同心円状など他の形状を採用することができる。
【００７０】
そして、センターカバー８０は、板状のものに限定されるものではなく、断面形状が湾曲した曲面状のもの、あるいは、スリットを形成したものなど、電源ユニット３０等を覆うものであれば種々の構造を用いることができる。
【００７１】
なお、板状の仕切板１４を例示して説明したが、板状のものに限定されるものではなく、ＬＥＤモジュール２０と、電源ユニット３０等とを仕切ることができる構造のものであれば、どのようなものでもよい。
【符号の説明】
【００７２】
１０  本体フレーム（照明装置本体）
１５  位置決め突起
１６  ロック部
１７  溝部
８０Ａ、８０Ｂ  センターカバー
８２  凹部
８３  凸部
８４  穴部（係止片が係止するための穴部）
８５  スライド用穴部
８６  位置決め用穴部
８７  固定用穴部
１１０Ａ、１１０Ｂ  固定片
１１１  係止片（突起部）
１１２  スライド突起
１１３  固定用突起
【図１】
2011008964.tif 000003
【図２】
2011008964.tif 000004
【図３】
2011008964.tif 000005
【図４】
2011008964.tif 000006
【図５】
2011008964.tif 000007
【図６】
2011008964.tif 000008
【図７】
2011008964.tif 000009
【図８】
2011008964.tif 000010
【図９】
2011008964.tif 000011
【図１０】
2011008964.tif 000012
【図１１】
2011008964.tif 000013
【図１２】
2011008964.tif 000014
【図１３】
2011008964.tif 000015
【図１４】
2011008964.tif 000016